(57)【特許請求の範囲】
【請求項１】
照明光源を提供するよう構成された発光源と、
前記発光源に結合され、全体的色温度および局所的色温度のうちの少なくとも１つに基づいて、前記照明光源の色温度を調整するよう構成されたコントローラと、
前記コントローラに結合され、色温度調整可能な照明装置の位置の色温度を検出して、前記局所的色温度を前記コントローラに提供するよう構成された検出器と、
を含み、前記コントローラが、重み式により前記全体的色温度および前記局所的色温度に対して重み演算を行い、演算結果を取得して前記照明光源の前記色温度を調整し、前記重み式が、第１重み関数、第２重み関数、前記全体的色温度および前記局所的色温度を含む数学的演算の組み合わせを含む色温度調整可能な照明装置。
【請求項２】
前記発光源および前記コントローラに結合され、前記照明光源の前記色温度を調整するよう構成された色温度補償回路
をさらに含み、前記コントローラが、制御信号を出力して前記色温度補償回路を制御し、
前記照明光源の前記色温度を調整する請求項１に記載の色温度調整可能な照明装置。
【請求項３】
前記発光源が、１つまたはそれ以上の有機発光ダイオードを含み、前記色温度補償回路が、
前記１つまたはそれ以上の有機発光ダイオードに結合され、前記照明光源の前記色温度を調整するよう構成された補償素子モジュールと、
前記補償素子モジュールと前記１つまたはそれ以上の有機発光ダイオードの間に結合されたスイッチ素子モジュールと、
を含み、前記コントローラが、前記制御信号により前記スイッチ素子モジュールをオンにするかしないかを制御して、前記補償素子モジュールのインピーダンス値を決定し、前記照明光源の前記色温度を調整する請求項２に記載の色温度調整可能な照明装置。
【請求項４】
前記コントローラが、前記スイッチ素子モジュールをオンにするよう制御して、前記照明光源の前記色温度を下げるとともに、前記コントローラが、前記スイッチ素子モジュールをオンにしないよう制御して、前記照明光源の前記色温度を上げる請求項３に記載の色温度調整可能な照明装置。
【請求項５】
前記補償素子モジュールが、直列または並列に接続されたレジスタ、キャパシタおよびインダクタのうちの少なくとも２つの組み合わせを含む請求項３に記載の色温度調整可能な照明装置。
【請求項６】
前記１つまたはそれ以上の有機発光ダイオードが、駆動電流により駆動されて前記照明光源を提供し、前記コントローラが、前記制御信号により前記スイッチ素子モジュールをオンにするかしないかを制御して、前記発光源に流れる前記駆動電流の強度を調整し、前記照明光源の前記色温度を調整する請求項３に記載の色温度調整可能な照明装置。
【請求項７】
前記色温度補償回路に結合され、前記駆動電流を前記色温度補償回路に出力して前記１つまたはそれ以上の有機発光ダイオードを駆動し、前記照明光源を提供するよう構成された光源駆動回路
をさらに含む請求項６に記載の色温度調整可能な照明装置。
【請求項８】
前記第１重み関数が、前記第２重み関数、定数、色座標変換マトリクス、時間パラメータ、使用者パラメータ、情景パラメータおよび位置パラメータのうちの少なくとも１つに基づいて決定され、前記第２重み関数が、前記第１重み関数、前記定数、前記色座標変換マトリクス、前記時間パラメータ、前記使用者パラメータ、前記情景パラメータおよび前記位置パラメータのうちの少なくとも１つに基づいて決定される請求項１に記載の色温度調整可能な照明装置。
【請求項９】
前記コントローラが、クラウドデータベースから前記全体的色温度を受信するとともに、前記コントローラが、第１色温度および第２色温度に基づいて、前記全体的色温度の色温度範囲を決定する請求項１に記載の色温度調整可能な照明装置。
【請求項１０】
前記全体的色温度が前記第１色温度と前記第２色温度の間にある時、前記コントローラが、前記重み式により前記全体的色温度および前記局所的色温度に対して前記重み演算を行い、演算結果を取得して前記照明光源の前記色温度を調整する請求項９に記載の色温度調整可能な照明装置。
【請求項１１】
前記全体的色温度が前記第１色温度よりも高いか、前記第２色温度よりも低い時、前記コントローラが、予め設定した色温度、使用者パラメータ、情景パラメータおよび位置パラメータのうちの少なくとも１つに基づいて、前記照明光源の前記色温度を調整する請求項１０に記載の色温度調整可能な照明装置。
【請求項１２】
前記コントローラが、クラウドデータベースから時間パラメータを受信して、前記色温度調整可能な照明装置の操作時間を決定し、前記色温度調整可能な照明装置の前記操作時間が第１時間間隔にあると前記コントローラが判断した時、前記コントローラが、前記全体的色温度および前記局所的色温度に対して前記重み演算を行い、演算結果を取得して前記照明光源の前記色温度を調整する請求項１に記載の色温度調整可能な照明装置。
【請求項１３】
前記色温度調整可能な照明装置の前記操作時間が第２時間間隔にあると前記コントローラが判断した時、前記コントローラが、予め設定した色温度、使用者パラメータ、情景パラメータおよび位置パラメータのうちの少なくとも１つに基づいて、前記照明光源の前記色温度を調整する請求項１２に記載の色温度調整可能な照明装置。
【請求項１４】
色温度調整可能な照明装置によって提供された照明光源の色温度を調整するよう構成され、
クラウドデータベースから全体的色温度を受信するステップと、
検出器により前記色温度調整可能な照明装置の位置の色温度を検出して、局所的色温度を取得するステップと、
前記全体的色温度および前記局所的色温度のうちの少なくとも１つに基づいて、前記照明光源の前記色温度を調整するステップと、
を含み、前記全体的色温度および前記局所的色温度のうちの少なくとも１つに基づいて前記照明光源の前記色温度を調整する前記ステップが、
重み式により前記全体的色温度および前記局所的色温度に対して重み演算を行い、演算結果を取得して前記照明光源の前記色温度を調整するステップを含み、前記重み式が、第１重み関数、第２重み関数、前記全体的色温度および前記局所的色温度を含む数学的演算の組み合わせを含む色温度調整方法。
【請求項１５】
前記全体的色温度および前記局所的色温度のうちの少なくとも１つに基づいて前記照明光源の前記色温度を調整する前記ステップが、
制御信号を出力して色温度補償回路を制御し、前記照明光源の前記色温度を調整するステップを含む請求項１４に記載の色温度調整方法。
【請求項１６】
前記色温度調整可能な照明装置が、前記照明光源を提供するよう構成され、１つまたはそれ以上の有機発光ダイオードを含む発光源を含み、前記色温度補償回路が、補償素子モジュールおよびスイッチ素子モジュールを含み、前記制御信号を出力して前記色温度補償回路を制御し、前記照明光源の前記色温度を調整する前記ステップが、
前記スイッチ素子モジュールをオンにするかしないかを制御するステップを含み、前記補償素子モジュールが、前記スイッチ素子モジュールを介して前記１つまたはそれ以上の有機発光ダイオードに結合された請求項１５に記載の色温度調整方法。
【請求項１７】
前記スイッチ素子モジュールをオンにするかしないかを制御する前記ステップが、前記スイッチ素子モジュールをオンにするよう制御して、前記照明光源の前記色温度を下げるステップ、または前記スイッチ素子モジュールをオンにしないよう制御して、前記照明光源の前記色温度を上げるステップを含む請求項１６に記載の色温度調整方法。
【請求項１８】
前記補償素子モジュールが、直列または並列に接続されたレジスタ、キャパシタおよびインダクタのうちの少なくとも２つの組み合わせを含む請求項１６に記載の色温度調整方法。
【請求項１９】
前記１つまたはそれ以上の有機発光ダイオードが、駆動電流により駆動されて前記照明光源を提供し、前記スイッチ素子モジュールをオンにするかしないかを制御する前記ステップが、前記スイッチ素子モジュールをオンにするかしないかを制御して、前記発光源に流れる前記駆動電流の強度を調整し、前記照明光源の前記色温度を調整するステップを含む請求項１６に記載の色温度調整方法。
【請求項２０】
前記駆動電流を出力して前記１つまたはそれ以上の有機発光ダイオードを駆動し、前記照明光源を提供するステップ
をさらに含む請求項１９に記載の色温度調整方法。
【請求項２１】
前記第１重み関数が、前記第２重み関数、定数、色座標変換マトリクス、時間パラメータ、使用者パラメータ、情景パラメータおよび位置パラメータのうちの少なくとも１つに基づいて決定され、前記第２重み関数が、前記第１重み関数、前記定数、前記色座標変換マトリクス、前記時間パラメータ、前記使用者パラメータ、前記情景パラメータおよび前記位置パラメータのうちの少なくとも１つに基づいて決定される請求項１４に記載の色温度調整方法。
【請求項２２】
第１色温度および第２色温度に基づいて、前記全体的色温度の色温度範囲を決定するステップ
をさらに含む請求項１４に記載の色温度調整方法。
【請求項２３】
前記重み式により前記全体的色温度および前記局所的色温度に対して前記重み演算を行う前記ステップが、前記全体的色温度が前記第１色温度と前記第２色温度の間にある時、前記重み式により前記全体的色温度および前記局所的色温度に対して前記重み演算を行うステップを含む請求項２２に記載の色温度調整方法。
【請求項２４】
前記全体的色温度が前記第１色温度よりも高いか、前記第２色温度よりも低い時、予め設定した色温度、使用者パラメータ、情景パラメータおよび位置パラメータのうちの少なくとも１つに基づいて、前記照明光源の前記色温度を調整するステップ
をさらに含む請求項２３に記載の色温度調整方法。
【請求項２５】
前記クラウドデータベースから時間パラメータを受信して、前記色温度調整可能な照明装置の操作時間を決定するステップ
をさらに含み、前記色温度調整可能な照明装置の前記操作時間が第１時間間隔にあると判断した時、前記全体的色温度および前記局所的色温度に対して前記重み演算を行い、演算結果を取得して前記照明光源の前記色温度を調整する請求項１４に記載の色温度調整方法。
【請求項２６】
前記色温度調整可能な照明装置の前記操作時間が第２時間間隔にあると判断した時、予め設定した色温度、使用者パラメータ、情景パラメータおよび位置パラメータのうちの少なくとも１つに基づいて、前記照明光源の前記色温度を調整する請求項２５に記載の色温度調整方法。
【発明の詳細な説明】
【技術分野】
【０００１】
本発明は、色温度調整可能な照明装置およびその色温度調整方法に関するものである。
【背景技術】
【０００２】
現在、発光源として有機発光ダイオードを使用する照明装置が消費者市場において大きな割合を占めている。発光源として有機発光ダイオードを使用する照明装置は、製作材料に水銀が含まれていないという利点があり、紫外線を含まない照明光源を提供することができる。照明光源として有機発光ダイオードを使用する照明装置と比較して、発光ダイオードはスポット光源であるため、カラー光の均一性が悪く、自然光に近い色温度を有する照明光源を提供することができない。有機発光ダイオードは、カラー光の均一性に優れた平面光源であるため、自然光の照明に適している。一方、有機発光ダイオードの輝度は、有機発光ダイオード自体を流れる駆動電流に比例するため、駆動電流の変化によって、照明光源の色温度も変化する。したがって、有機発光ダイオードの輝度を変えずに照明光源の色温度を調整することが、重要な課題となっている。
【発明の概要】
【発明が解決しようとする課題】
【０００３】
有機発光ダイオードの輝度は、有機発光ダイオード自体を流れる駆動電流に比例するため、駆動電流の変化によって、照明光源の色温度も変化する。
【課題を解決するための手段】
【０００４】
本発明に係る色温度調整可能な照明装置は、発光源と、コントローラと、検出器とを含む。発光源は、照明光源を提供するよう構成される。コントローラは、発光源に結合される。コントローラは、全体的（global）色温度および局所的（local）色温度のうちの少なくとも１つに基づいて、照明光源の色温度を調整するよう構成される。検出器は、コントローラに結合される。検出器は、照明装置の位置の色温度を検出して、局所的色温度をコントローラに提供するよう構成される。コントローラは、全体的色温度および局所的色温度に対して重み演算（weighting operation）を行い、演算結果を取得して照明光源の色温度を調整する。
【０００５】
本発明に係る色温度調整方法は、色温度調整可能な照明装置によって提供された照明光源の色温度を調整するよう構成される。色温度調整方法は、クラウド（ｃｌｏｕｄ）データベースから全体的色温度を受信するステップと、検出器により色温度調整可能な照明装置の位置の色温度を検出して、局所的色温度を取得するステップと、全体的色温度および局所的色温度のうちの少なくとも１つに基づいて、照明光源の色温度を調整するステップとを含む。全体的色温度および局所的色温度のうちの少なくとも１つに基づいて照明光源の色温度を調整するステップは、全体的色温度および局所的色温度に対して重み演算を行い、演算結果を取得して照明光源の色温度を調整するステップを含む。
【発明の効果】
【０００６】
カラー光の均一性に優れ、且つ自然光の照明に適した照明光源を提供する。照明光源の色温度を適度に調整して、照明光源の有機発光ダイオードの輝度を実質的に一定に維持する。
【０００７】
本発明の上記および他の目的、特徴、および利点をより分かり易くするため、図面と併せた幾つかの実施形態を以下に説明する。
【図面の簡単な説明】
【０００８】
【図１】本発明の１つの実施形態に係る色温度調整可能な照明装置がクラウドデータベースからデータを受信する時の概略図を示したものである。
【図２】本発明の１つの実施形態に係る色温度調整可能な照明装置の機能ブロック図を示したものである。
【図３】本発明の１つの実施形態に係る色温度調整方法のステップを示したフローチャートである。
【図４】本発明の別の実施形態に係る色温度調整方法のステップを示したフローチャートである。
【図５】本発明の別の実施形態に係る色温度調整方法のステップを示したフローチャートである。
【図６】本発明の別の実施形態に係る色温度調整方法のステップを示したフローチャートである。
【図７】本発明の１つの実施形態に係る色温度補償回路の概略図を示したものである。
【図８】本発明の別の実施形態に係る色温度補償回路の概略図を示したものである。
【図９】本発明の別の実施形態に係る色温度補償回路の概略図を示したものである。
【図１０】本発明の別の実施形態に係る色温度補償回路の概略図を示したものである。
【図１１】本発明の別の実施形態に係る色温度補償回路の概略図を示したものである。
【図１２】本発明の別の実施形態に係る色温度補償回路の概略図を示したものである。
【図１３】本発明の別の実施形態に係る色温度補償回路の概略図を示したものである。
【図１４】本発明の別の実施形態に係る色温度補償回路の概略図を示したものである。
【発明を実施するための形態】
【０００９】
以下の詳細な説明において、説明の目的で、開示される実施形態が十分に理解されるよう、多数の具体的詳細を示す。しかしながら、これら具体的詳細がなくとも、１つまたはそれ以上の実施形態が実施され得ることは明らかである。別の場合では、図面を簡潔にするため、周知の構造および装置は概略的に示される。
【００１０】
以下、実施形態を提供して本発明について詳しく説明するが、本発明は、提供した実施形態のみに限定されず、これらの実施形態を適宜結合してもよい。本明細書（請求項を含む）において使用する用語「結合（coupling/coupled）」は、直接的な接続手段を指してもよく、または間接的な接続手段を指してもよい。例えば、「第１装置は、第２装置に結合される」は、「第１装置は、第２装置に直接結合される」または「第１装置は、他の装置または接続手段を介して第２装置に間接的に結合される」と解釈すべきである。また、「信号」は、電流、電圧、電荷、温度、データ、あるいは任意の１つまたは複数の信号を意味することができる。
【００１１】
図１は、本発明の１つの実施形態に係る色温度調整可能な照明装置がクラウドデータベースからデータを受信する時の概略図を示したものである。図２は、本発明の１つの実施形態に係る色温度調整可能な照明装置の機能ブロック図を示したものである。図１および図２を参照すると、色温度調整可能な照明装置１００は、発光源１１０と、コントローラ１２０と、検出器１３０と、色温度補償回路１４０と、光源駆動回路１５０とを含む。発光源１１０は、１つまたはそれ以上の有機発光ダイオード（図示せず）を含む。例えば、有機発光ダイオードを直列に配置して、複数の発光ダイオードストリング（string）を形成し、発光ダイオードストリングを並列に配置して、発光ダイオードアレイ（array）を形成する。光源駆動回路１５０は、色温度補償回路１４０に結合される。光源駆動回路１５０は、駆動電流Ｉ１を色温度補償回路１４０に出力するとともに、それ自身のバイパス電流（すなわち、駆動電流Ｉ２）を用いて発光ダイオードアレイを駆動し、照明光源を提供するよう構成される。本実施形態において、発光源１１０によって提供される照明光源は、均一なカラー光を有する平面光源である。
【００１２】
本実施形態において、検出器１３０は、コントローラ１２０に結合される。検出器１３０は、色温度調整可能な照明装置１００の位置の背景色温度を検出して、コントローラ１２０に局所的色温度ＣＣＴ＿Ｉを提供するよう構成される。１つの実施形態において、色温度調整可能な照明装置１００は、例えば、屋外に配置されてもよい。したがって、検出器１３０によって検出された局所的色温度ＣＣＴ＿Ｉは、例えば、屋外太陽光と他の環境光源の色温度を結合した結果であってもよい。１つの実施形態において、色温度調整可能な照明装置１００は、例えば、屋内に配置されてもよい。したがって、検出器１３０によって検出された局所的色温度ＣＣＴ＿Ｉは、例えば、屋内に照射される太陽光、他の照明装置によって提供された光源、および他の背景光源の色温度を結合した結果であってもよい。本発明は、局所的色温度ＣＣＴ＿Ｉの種類を限定する意図はなく、主に、検出器１３０によって検出した色温度情報を示すために使用される。
【００１３】
本実施形態において、コントローラ１２０は、例えば、クラウドデータベース２００から全体的色温度ＣＣＴ＿Ｏのデータを受信する。１つの実施形態において、全体的色温度ＣＣＴ＿Ｏのデータは、例えば、特定領域の色温度測定機構（例えば、地方気象台）によって現在または前もって観察または記録された色温度データであり、クラウドデータベース２００に記憶される。本実施形態の全体的色温度ＣＣＴ＿Ｏのデータは、色温度調整可能な照明装置１００の色温度を調整している間、調整する前、または調整した後に前もって取得した過去の色温度データ、あるいは色温度調整可能な照明装置１００の色温度を調整している間に取得した現在の色温度データ、あるいは記憶された過去の色温度データおよび現在の色温度データに基づいて予測した未来の色温度データを含む（ただし、これに限定されない）。１つの実施形態において、色温度調整可能な照明装置１００を屋内に配置する場合、現在の色温度データは、例えば、屋外太陽光と他の環境光源の色温度を結合した結果である。本発明は、全体的色温度ＣＣＴ＿Ｏの種類を限定する意図はなく、主に、検出器１３０によって検出されなかった色温度情報を示すために使用される。さらに、本実施形態において、コントローラ１２０は、有線または無線の方法でクラウドデータベース２００に電気接続されるが、本発明はこれに限定されない。電気接続に無線の方法を適用する実施形態において、色温度調整可能な照明装置１００は、さらに、無線通信モジュール等の機能性素子を含んで、クラウドデータベース２００との通信接続を確立し、データの受送信を行ってもよい。
【００１４】
本実施形態において、コントローラ１２０は、発光源１１０に結合される。コントローラ１２０は、全体的色温度ＣＣＴ＿Ｏおよび局所的色温度ＣＣＴ＿Ｉのうちの少なくとも１つに基づいて、照明光源の色温度を調整するよう構成される。例えば、コントローラ１２０は、全体的色温度ＣＣＴ＿Ｏおよび局所的色温度ＣＣＴ＿Ｉに対して重み演算を行い、演算結果を取得して照明光源の色温度を調整する。本実施形態において、例えば、コントローラ１２０は、重み式を用いて全体的色温度ＣＣＴ＿Ｏおよび局所的色温度ＣＣＴ＿Ｉに対して重み演算を行い、演算結果を取得する。さらに、本実施形態において、色温度補償回路１４０は、発光源１１０およびコントローラ１２０に結合される。色温度補償回路１４０は、コントローラ１２０によって制御され、例えば、照明光源の色温度を調整するよう構成される。コントローラ１２０は、制御信号Ｓｃｔｒ１を出力して色温度補償回路１４０を制御し、照明光源の色温度を調整する。
【００１５】
本実施形態において、コントローラ１２０は、例えば、中央処理装置（central processing unit, CPU）または他のプログラム可能なマイクロプロセッサ（programmable microprocessor）、デジタル信号プロセッサ（digital signal processor, DSP）、プログラマブルコントローラ（programmable controller）、特定用途向け集積回路（application specific integrated circuits, ASIC）、プログラム可能論理デバイス（programmable logic device, PLD）または他の類似装置である。
【００１６】
図３は、本発明の１つの実施形態に係る色温度調整方法のステップを示したフローチャートである。図１〜図３を同時に参照すると、例えば、本実施形態の色温度調整方法は、少なくとも図２の色温度調整可能な照明装置１００によって提供された照明光源の色温度を調整するために使用されるが、本発明はこれに限定されない。本実施形態の色温度調整方法は、同じまたは類似する概念により実施される色温度調整可能な他の照明装置に適用されてもよい。
【００１７】
具体的に説明すると、本実施形態において、ステップＳ１１０において、コントローラ１２０は、クラウドデータベース２００から全体的色温度ＣＣＴ＿Ｏのデータを受信する。ステップＳ１２０において、コントローラ１２０は、検出器１３０を使用して色温度調整可能な照明装置１００の位置の色温度を検出し、局所的色温度ＣＣＴ＿Ｉを取得する。ステップＳ１３０において、コントローラ１２０は、全体的色温度ＣＣＴ＿Ｏおよび局所的色温度ＣＣＴ＿Ｉのうちの少なくとも１つに基づいて、照明光源の色温度を調整する。本実施形態において、例えば、コントローラ１２０は、ステップＳ１３０において、全体的色温度ＣＣＴ＿Ｏおよび局所的色温度ＣＣＴ＿Ｉに対して重み演算を行い、演算結果を取得して照明光源の色温度を調整する。本実施形態において、コントローラ１２０は、全体的色温度ＣＣＴ＿Ｏおよび局所的色温度ＣＣＴ＿Ｉの両方に基づいて、照明光源の色温度を調整してもよい。あるいは、コントローラ１２０は、全体的色温度ＣＣＴ＿Ｏまたは局所的色温度ＣＣＴ＿Ｉに基づいて、照明光源の色温度を調整してもよく、本発明はこれに限定されない。
【００１８】
また、本実施形態の色温度調整方法に関する十分な教示、提案および実施説明は、図１〜図２で説明した実施形態から得ることができるため、関連説明については繰り返し説明しない。
【００１９】
図４は、本発明の別の実施形態に係る色温度調整方法のステップを示したフローチャートである。図２および図４を同時に参照すると、本実施形態の色温度調整方法は、少なくとも図２の色温度調整可能な照明装置１００によって提供された照明光源の色温度を調整するために使用されるが、本発明はこれに限定されない。本実施形態の色温度調整方法は、同じまたは類似する概念により実施される色温度調整可能な他の照明装置に適用されてもよい。
【００２０】
ステップＳ２１０において、コントローラ１２０は、例えば、クラウドデータベース２００から全体的色温度ＣＣＴ＿Ｏおよび時間パラメータＳｔのデータを受信する。ステップＳ２２０において、コントローラ１２０は、例えば、検出器１３０から局所的色温度ＣＣＴ＿Ｉのデータを受信する。局所的色温度ＣＣＴ＿Ｉは、例えば、検出器１３０を使用して色温度調整可能な照明装置１００の現在位置の背景色温度を検出した後に、コントローラ１２０によって取得されたデータである。本実施形態において、ステップＳ２１０およびステップＳ２２０の実行順序は単なる例であり、本発明を限定するものではない。コントローラ１２０は、局所的色温度ＣＣＴ＿Ｉのデータを受信する前に、まず、全体的色温度ＣＣＴ＿Ｏおよび時間パラメータＳｔのデータを受信してもよい。あるいは、コントローラ１２０は、全体的色温度ＣＣＴ＿Ｏおよび時間パラメータＳｔのデータを受信する前に、まず、局所的色温度ＣＣＴ＿Ｉのデータを受信してもよい。
【００２１】
ステップＳ２３０において、コントローラ１２０は、例えば、時間パラメータＳｔに基づいて、色温度調整可能な照明装置１００の操作時間を決定する。１つの実施形態において、コントローラ１２０は、クラウドデータベース２００から時間パラメータＳｔのデータを受信せずに、内蔵の時間パラメータに基づいて色温度調整可能な照明装置１００の操作時間を決定してもよく、本発明はこれに限定されない。本実施形態において、例えば、コントローラ１２０は、色温度調整可能な照明装置１００の操作時間の違いに応じて、異なる方法により照明光源の色温度を調整する。本実施形態において、色温度調整可能な照明装置１００の操作時間が第１時間間隔内にあるとコントローラ１２０が判断した時、コントローラ１２０は、ステップＳ２４０において、重み式を用いて全体的色温度ＣＣＴ＿Ｏおよび局所的色温度ＣＣＴ＿Ｉに対して重み演算を行い、演算結果を取得して照明光源の色温度を調整する。あるいは、色温度調整可能な照明装置１００の操作時間が第２時間間隔内にあるとコントローラ１２０が判断した時、コントローラ１２０は、ステップＳ２５０において、予め設定した色温度、使用者パラメータ、情景パラメータおよび位置パラメータのうちの少なくとも１つに基づいて、照明光源の色温度を調整する。
【００２２】
例えば、第１時間間隔は、昼間であってもよく、第２時間間隔は、夜間であってもよい。色温度調整可能な照明装置１００が昼間に操作された時、コントローラ１２０は、例えば、ステップＳ２４０の方法により照明光源の色温度を調整する。色温度調整可能な照明装置１００が夜間に操作された時、コントローラ１２０は、例えば、ステップＳ２５０の方法により照明光源の色温度を調整する。本実施形態では、操作時間を昼間と夜間に区別したが、本発明はこれに限定されない。１つの実施形態において、色温度調整可能な照明装置１００の操作時間を一日の中の任意の２つの期間に区別してもよい。
【００２３】
さらに、本実施形態において、コントローラ１２０がクラウドデータ２００から受信した時間パラメータＳｔは、例えば、色温度調整可能な照明装置１００の位置のグリニッジ標準時（Greenwich Mean Time, GMT）、または他の標準時間形式の時間情報を含む。色温度調整可能な照明装置１００の位置の違いに応じて、昼間または夜間の時間の長さは、微変動を有してもよい。コントローラ１２０は、クラウドデータ２００から受信した時間パラメータＳｔから昼間または夜間の時間長の微変動に関する情報を取得して、異なる方法により色温度を調整する。１つの実施形態において、コントローラ１２０は、内蔵の時計に基づいて、色温度調整可能な照明装置１００の現操作時間を取得してもよい。この例では、コントローラ１２０は、クラウドデータ２００から時間パラメータＳｔを受信する必要はない。
【００２４】
ステップＳ２４０において、コントローラ１２０は、重み式を用いて全体的色温度ＣＣＴ＿Ｏおよび局所的色温度ＣＣＴ＿Ｉに対して重み演算を行い、演算結果を取得して照明光源の色温度を調整する。本実施形態において、重み式は、例えば、下記の第１重み関数ｆ（Ｏ）、第２重み関数ｆ（Ｉ）、全体的色温度ＣＣＴ＿Ｏおよび局所的色温度ＣＣＴ＿Ｉを含む数学的演算の組み合わせを含む。
【００２５】
[数１]
ＣＣＴ＿Ｏ×ｆ（Ｏ）＋  ＣＣＴ＿Ｉ×ｆ（Ｉ）…（重み式）
【００２６】
ここで、第１重み関数ｆ（Ｏ）は、全体的色温度ＣＣＴ＿Ｏに対応する重みであり、第２重み関数ｆ（Ｉ）は、局所的色温度ＣＣＴ＿Ｉに対応する重みである。上記の重み式は、第１重み関数ｆ（Ｏ）と全体的色温度ＣＣＴ＿Ｏの積、および第２重み関数ｆ（Ｉ）と局所的色温度ＣＣＴ＿Ｉの積をそれぞれ計算した後、コントローラ１２０により２つの積を合計して得られた演算結果を示す。
【００２７】
本実施形態において、重み式の数学的演算を掛け算と足し算の算数を用いて説明したが、本発明はこれに限定されない。別の実施形態において、数学的演算は、他の算数演算やマトリクス（matrix）演算等の他の数学的演算を含んでもよい。
【００２８】
本実施形態において、第１重み関数ｆ（Ｏ）および第２重み関数ｆ（Ｉ）は、定数、色座標変換マトリクス、時間パラメータ、使用者パラメータ、情景パラメータおよび位置パラメータのうちの少なくとも１つに基づいて決定される。第１重み関数ｆ（Ｏ）を決定するパラメータは、第２重み関数ｆ（Ｉ）を決定するパラメータと同じであってもよく、または異なっていてもよい。本実施形態において、第１重み関数ｆ（Ｏ）および第２重み関数ｆ（Ｉ）は、相互に関連していてもよく、または相互に関連していなくてもよい。第１重み関数ｆ（Ｏ）および第２重み関数ｆ（Ｉ）が相互に関連している実施形態において、第１重み関数ｆ（Ｏ）を決定するパラメータは、第２重み関数ｆ（Ｉ）を決定するパラメータと同じであってもよい。第１重み関数ｆ（Ｏ）および第２重み関数ｆ（Ｉ）が相互に関連していない実施形態において、第１重み関数ｆ（Ｏ）を決定するパラメータは、例えば、第２重み関数ｆ（Ｉ）を決定するパラメータと異なる。
【００２９】
第１重み関数ｆ（Ｏ）および第２重み関数ｆ（Ｉ）が相互に関連している別の実施形態において、第１重み関数ｆ（Ｏ）および第２重み関数ｆ（Ｉ）がいずれも定数関数であり、合計が１であると仮定すると、コントローラ１２０が第１重み関数ｆ（Ｏ）を０．６に設定した時、それに応じて、第２重み関数ｆ（Ｉ）は、０．４に設定される。この例は、コントローラ１２０が重み式をＣＣＴ＿Ｏ×０．６＋ＣＣＴ＿Ｉ×０．４に設定したことを示す。あるいは、コントローラ１２０が第１重み関数ｆ（Ｏ）を０．３５に設定した時、それに応じて、第２重み関数ｆ（Ｉ）は、０．６５に設定される。この例は、コントローラ１２０が重み式をＣＣＴ＿Ｏ×０．３５＋ＣＣＴ＿Ｉ×０．６５に設定したことを示す。つまり、本実施形態において、第１重み関数ｆ（Ｏ）を第２重み関数ｆ（Ｉ）に基づいて決定してもよく、第２重み関数ｆ（Ｉ）を第１重み関数ｆ（Ｏ）に基づいて決定してもよい。
【００３０】
本実施形態において、色座標変換マトリクスは、ＣＩＥ  １９３１  ＲＧＢ、ＣＩＥ  １９３１  ＸＹＺ、ＣＩＥ  １９３１  Ｌｘｙ、ＣＩＥ  １９３１  Ｌｕ’ｖ’、ＣＩＥ  １９７６  Ｌ＊ａ＊ｂ＊等の様々な色座標を変換する変換マトリクスであってもよい。
【００３１】
時間パラメータは、例えば、色温度調整可能な照明装置１００の操作時間である。例えば、色温度調整可能な照明装置１００の操作時間は、午前から正午までの間隔と、正午から午後までの間隔を含むことができる。操作時間の違いに応じて、第１重み関数ｆ（Ｏ）および第２重み関数ｆ（Ｉ）を調整することができる。１つの実施形態において、色温度は、午前において、時間の経過とともに増加し、色温度は、午後において、時間の経過とともに減少する。これに基づき、色温度調整可能な照明装置１００は、それに応じて、第１重み関数ｆ（Ｏ）または第２重み関数ｆ（Ｉ）を調整することができる。
【００３２】
さらに、第１重み関数ｆ（Ｏ）および第２重み関数ｆ（Ｉ）が時間パラメータのルックアップテーブルに基づいて決定される実施形態を下記の表１に示す。
【００３３】
【表１】
0006328597.tif 000002
【００３４】
表１に示すように、この例では、１２：００ｐｍ〜７：００ａｍの期間以外の各期間において、第２重み関数ｆ（Ｉ）は０に設定されているため、コントローラ１２０が全体的色温度ＣＣＴ＿Ｏから照明光源の色温度への影響を考慮しながら、重み式を用いて全体的色温度ＣＣＴ＿Ｏおよび局所的色温度ＣＣＴ＿Ｉに対して重み演算を行うことを示す。
【００３５】
位置パラメータは、色温度調整可能な照明装置１００の位置を示し、例えば、異なる緯度に基づいて決定されてもよい。例えば、色温度調整可能な照明装置１００の位置は、赤道、温帯または寒帯における位置であってもよい。位置の違いに応じて、第１重み関数ｆ（Ｏ）または第２重み関数ｆ（Ｉ）を調整することができる。
【００３６】
さらに、第１重み関数ｆ（Ｏ）および第２重み関数ｆ（Ｉ）が位置パラメータのルックアップテーブルに基づいて決定される実施形態を下記の表２に示す。
【００３７】
【表２】
0006328597.tif 000003
【００３８】
表２に示すように、この例では、各第２重み関数ｆ（Ｉ）は０に設定されているため、コントローラ１２０が全体的色温度ＣＣＴ＿Ｏから照明光源の色温度への影響を考慮しながら、重み式を用いて全体的色温度ＣＣＴ＿Ｏおよび局所的色温度ＣＣＴ＿Ｉに対して重み演算を行うことを示す。
【００３９】
使用者パラメータは、例えば、ライフスタイル、習慣、嗜好等の様々な使用者情報を含み、これらの様々な使用者情報に基づいて、第１重み関数ｆ（Ｏ）および第２重み関数ｆ（Ｉ）を調整することができる。例えば、使用者は、午前７時に浅眠状態にあるため、第１重み関数ｆ（Ｏ）を０．３に設定し、第２重み関数ｆ（Ｉ）を０に設定する。例えば、使用者は、午前８時に朝食をとるため、第１重み関数ｆ（Ｏ）を０．７に設定し、第２重み関数ｆ（Ｉ）を０に設定する。例えば、使用者は午前９時に仕事をするため、第１重み関数ｆ（Ｏ）を１に設定し、第２重み関数ｆ（Ｉ）を０に設定する。あるいは、１つの実施形態において、使用者は、特定の色温度をライフスタイルの照明として直接選択してもよい。
【００４０】
情景パラメータは、例えば、色温度調整可能な照明装置１００の使用情景の情報を含む。例えば、色温度調整可能な照明装置１００をステージ、劇場、展覧会等の異なる使用情景に使用してもよく、それに応じて、第１重み関数ｆ（Ｏ）または第２重み関数ｆ（Ｉ）を調整することができる。
【００４１】
本実施形態において、例えば、定数、色座標変換マトリクス、時間パラメータ、使用者パラメータ、情景パラメータおよび位置パラメータは、クラウドデータベース２００から取得してもよく、または、コントローラ１２０に記憶するか、使用者によってコントローラ１２０に直接入力してもよい。
【００４２】
一方、ステップＳ２５０において、コントローラ１２０は、例えば、予め設定した色温度、使用者パラメータ、情景パラメータおよび位置パラメータのうちの少なくとも１つに基づいて、照明光源の色温度を調整することができる。例えば、位置パラメータは、色温度調整可能な照明装置１００の位置を示し、異なる緯度に基づいて決定される。例えば、色温度調整可能な照明装置１００の位置は、赤道、温帯または寒帯の位置であってもよい。位置の違いに応じて、照明光源の色温度を調整することができる。使用者パラメータは、例えば、ライフスタイル、習慣、嗜好等の様々な使用者情報を示し、これらの様々な使用者情報に基づいて、照明光源の色温度を調整することができる。情景パラメータは、例えば、色温度調整可能な照明装置１００の使用情景を含む。例えば、色温度調整可能な照明装置１００は、ステージ、劇場、展覧会等の異なる使用情景に使用してもよく、それに応じて、照明光源の色温度を調整することができる。本実施形態において、予め設定した色温度、使用者パラメータ、情景パラメータおよび位置パラメータは、クラウドデータベース２００から取得してもよく、または、コントローラ１２０に記憶するか、使用者によってコントローラ１２０に直接入力してもよい。
【００４３】
また、本実施形態の色温度調整方法に関する十分な教示、提案および実施説明は、図１〜図３で説明した実施形態から得ることができるため、関連説明については繰り返し説明しない。
【００４４】
図５は、本発明の別の実施形態に係る色温度調整方法のステップを示したフローチャートである。図２および図５を同時に参照すると、本実施形態の色温度調整方法は、図４の色温度調整方法に類似しており、主な相違点は、例えば、ステップＳ３３０である。
【００４５】
具体的に説明すると、本実施形態によると、ステップＳ３３０において、コントローラ１２０は、例えば、第１色温度Ｔ１および第２色温度Ｔ２に基づいて、全体的色温度ＣＣＴ＿Ｏの色温度範囲を決定する。本実施形態において、例えば、コントローラ１２０は、全体的色温度ＣＣＴ＿Ｏの色温度範囲の違いに応じて、異なる方法により照明光源の色温度を調整する。本実施形態において、全体的色温度ＣＣＴ＿Ｏが第１色温度Ｔ１と第２色温度Ｔ２の間にあるとコントローラ１２０が判断した時、コントローラ１２０は、ステップＳ３４０において、重み式を用いて全体的色温度ＣＣＴ＿Ｏおよび局所的色温度ＣＣＴ＿Ｉに対して重み演算を行い、演算結果を取得して照明光源の色温度を調整する。あるいは、全体的色温度ＣＣＴ＿Ｏが第１色温度Ｔ１よりも高い、または第２色温度Ｔ２よりも低いとコントローラ１２０が判断した時、コントローラ１２０は、ステップＳ３５０において、予め設定した色温度、使用者パラメータ、情景パラメータおよび位置パラメータのうちの少なくとも１つに基づいて、照明光源の色温度を調整する。
【００４６】
本実施形態において、第１色温度Ｔ１は、第２色温度Ｔ２よりも高い。第１色温度Ｔ１および第２色温度Ｔ２は、例えば、色座標の種類および色温度調整可能な照明装置１００の有機発光ダイオードの特性に基づいて決定される。１つの実施形態において、色座標ＣＩＥ  １９３２において、第１色座標Ｔ１は、例えば、７０００Ｋであり、第２色座標Ｔ２は、例えば、２０００Ｋであるが、本発明はこれに限定されない。
【００４７】
また、本実施形態の色温度調整方法に関する十分な教示、提案および実施説明は、図１〜図４で説明した実施形態から得ることができるため、関連説明については繰り返し説明しない。
【００４８】
図６は、本発明の別の実施形態に係る色温度調整方法のステップを示したフローチャートである。図２および図６を同時に参照すると、本実施形態の色温度調整方法は、図４の色温度調整方法に類似しており、主な相違点は、本実施形態の色温度調整方法がさらにステップＳ４６０を含むことである。
【００４９】
ステップＳ４３０において、コントローラ１２０は、例えば、時間パラメータＳｔに基づいて、色温度調整可能な照明装置１００の操作時間を決定する。本実施形態において、例えば、コントローラ１２０は、色温度調整可能な照明装置１００の操作時間の違いに応じて、異なる方法により照明光源の色温度を調整する。本実施形態において、色温度調整可能な照明装置１００の操作時間が第１時間間隔内にあるとコントローラ１２０が判断した時、コントローラ１２０は、ステップＳ４６０において、第１色温度Ｔ１および第２色温度Ｔ２に基づいて、全体的色温度ＣＣＴ＿Ｏの色温度範囲を決定する。ステップＳ４６０において、全体的色温度ＣＣＴ＿Ｏが第１色温度Ｔ１と第２色温度Ｔ２の間にあるとコントローラ１２０が判断した時、コントローラ１２０は、ステップＳ４４０において、重み式を用いて全体的色温度ＣＣＴ＿Ｏおよび局所的色温度ＣＣＴ＿Ｉに対して重み演算を行い、演算結果を取得して照明光源の色温度を調整する。あるいは、ステップＳ４６０において、全体的色温度ＣＣＴ＿Ｏが第１色温度Ｔ１よりも高い、または第２色温度Ｔ２よりも低いとコントローラ１２０が判断した時、コントローラ１２０は、ステップＳ４５０において、予め設定した色温度、使用者パラメータ、情景パラメータおよび位置パラメータのうちの少なくとも１つに基づいて、照明光源の色温度を調整する。
【００５０】
一方、ステップＳ４３０において、色温度調整可能な照明装置１００の操作時間が第２時間間隔内にあるとコントローラ１２０が判断した時、コントローラ１２０は、ステップＳ４５０において、予め設定した色温度、使用者パラメータ、情景パラメータおよび位置パラメータのうちの少なくとも１つに基づいて、照明光源の色温度を調整する。
【００５１】
また、本実施形態の色温度調整方法に関する十分な教示、提案および実施説明は、図１〜図５で説明した実施形態から得ることができるため、関連説明については繰り返し説明しない。
【００５２】
図２の実施形態において、例えば、コントローラ１２０は、制御信号Ｓｃｔｒｌを出力して色温度補償回路１４０を制御し、照明光源の色温度を調整する。図７は、本発明の１つの実施形態に係る色温度補償回路の概略図を示したものである。図２および図７を参照すると、本実施形態の色温度補償回路７４０は、補償素子モジュール７４２と、スイッチ素子モジュール７４４とを含む。スイッチ素子モジュール７４４は、補償素子モジュール７４２と有機発光ダイオードＤの間に結合される。補償素子モジュール７４２は、異なるＡＣ周波数に基づいて、異なるインピーダンス値を生成し、スイッチ素子モジュール７４４をオンにするかしないかによって、駆動電流Ｉ１のバイパス電流状態、つまり、駆動電流Ｉ２の強度を変えることができる。本実施形態において、補償素子モジュール７４２は、直列に結合された１組のレジスタＲおよびキャパシタＣを含む。スイッチ素子モジュール７４４は、スイッチ素子ＳＷを含む。コントローラ１２０は、制御信号Ｓｃｔｒｌによりスイッチ素子モジュール７４４のスイッチ素子ＳＷを制御して、スイッチ素子ＳＷをオンにするかしないかを選択し、照明光源の色温度を調整する。
【００５３】
具体的に、本実施形態において、光源駆動回路１５０は、駆動電流Ｉ１を色温度補償回路１４０に出力することにより、バイパス電流（すなわち、駆動電流Ｉ２）を用いて発光源１１０の有機発光ダイオードＤを駆動し、照明光源を提供するよう構成される。コントローラ１２０は、制御信号Ｓｃｔｒｌによりスイッチ素子ＳＷをオンにするかしないかを制御して、有機発光ダイオードＤに流れる駆動電流Ｉ２の強度を調整し、照明光源の色温度を調整する。本実施形態において、有機発光ダイオードＤのカソードを接地電圧に結合した場合を例として説明したが、本発明はこれに限定されない。別の実施形態において、有機発光ダイオードＤのカソードは、システムにおいて比較的低い負電圧に結合されてもよい。本実施形態において、スイッチ素子ＳＷをオンにした時、光源駆動回路１５０の駆動負荷は、直列に結合された１組のレジスタＲおよびキャパシタＣを含み、直列に結合された１組のレジスタＲおよびキャパシタＣは有機発光ダイオードＤに並列に結合される。スイッチ素子ＳＷをオンにしない時、光源駆動回路１５０の駆動負荷は、有機発光ダイオードＤを含む。スイッチ素子ＳＷをオンにするかしないかの２つの状態において、光源駆動回路１５０の駆動負荷は同じではないため、駆動電流Ｉ１のバイパス電流状態（すなわち、駆動電流Ｉ２の強度）は、駆動負荷の異なる電気的インピーダンス（electrical impedance）に基づいて調整され、それに応じて、照明光源の色温度も変化する。本実施形態において、コントローラ１２０は、スイッチ素子ＳＷをオンにするよう制御して、照明光源の色温度を下げる。コントローラ１２０は、スイッチ素子ＳＷをオンにしないよう制御して、照明光源の色温度を上げる。
【００５４】
図８は、本発明の別の実施形態に係る色温度補償回路の概略図を示したものである。図７および図８を参照すると、本実施形態の色温度補償回路８４０は、図７の色温度補償回路７４０に類似しており、相違点は、補償素子モジュール７４２に並列に結合されるのが、直列に接続された複数の有機発光ダイオードＤを含む有機発光ダイオードストリングであることである。本実施形態において、コントローラ１２０は、制御信号Ｓｃｔｒｌによりスイッチ素子ＳＷをオンにするかしないかを制御して、照明光源の色温度を調整する。本実施形態の色温度補正回路８４０の操作方法に関する十分な教示、提案および実施説明は、図７で説明した実施形態から得ることができるため、関連説明については繰り返し説明しない。
【００５５】
図９は、本発明の別の実施形態に係る色温度補償回路の概略図を示したものである。図７および図９を参照すると、本実施形態の色温度補償回路９４０は、図７の色温度補償回路７４０に類似しており、相違点は、以下の通りである。
【００５６】
本実施形態において、補償素子モジュール９４２は、直列に結合された複数組のレジスタＲおよびキャパシタＣを含む。スイッチ素子モジュール９４４は、並列に結合された複数のスイッチ素子ＳＷ１〜ＳＷＮを含む。この例では、有機発光ダイオードストリングの複数の有機発光ダイオードＤ１〜ＤＮは、それぞれ、直列に結合された１組のレジスタＲおよびキャパシタＣとともに配置される。コントローラ１２０は、制御信号Ｓｃｔｒｌによりスイッチ素子ＳＷ１〜ＳＷＮをオンにするかしないかを制御する。例えば、スイッチ素子ＳＷ１〜ＳＷＮをオンにするかしないかに基づいて、様々な配置が存在する。例えば、スイッチ素子ＳＷ１〜ＳＷＮをオンにしない時、駆動電流Ｉ１は、補償素子モジュール９４２に流れないが、完全に駆動電流Ｉ２として有機発光ダイオードＤ１〜ＤＮを駆動する。スイッチ素子ＳＷ１をオンにするがスイッチ素子ＳＷ２〜ＳＷＮをオンにしない時、有機発光ダイオードＤ１は、直列に結合された第１組のレジスタＲおよびキャパシタＣと並列配置を形成することにより、有機発光ダイオードＤ１に流れる駆動電流Ｉ２の強度を調整する。直列に結合された別の有機発光ダイオードＤ２〜ＤＮは、直列に結合された別の組のレジスタＲおよびキャパシタＣと別の並列配置を形成する。スイッチ素子ＳＷ１〜ＳＷＮをオンにするかしないかに関する別の組み合わせは、類推により推測できるため、ここでは説明を省略する。そのため、本実施形態において、スイッチ素子ＳＷ１〜ＳＷＮのうちの１つまたはそれ以上のスイッチ素子を同時にオンにするかしないかにより、照明光源の色温度を調整することができるが、本発明はこれに限定されない。また、本実施形態の色温度補償回路９４０の操作方法に関する十分な教示、提案および実施説明は、図７で説明した実施形態から得ることができるため、関連説明については繰り返し説明しない。
【００５７】
図１０は、本発明の別の実施形態に係る色温度補償回路の概略図を示したものである。図７および図１０を参照すると、本実施形態の色温度補償回路１０４０は、図７の色温度補償回路７４０に類似しており、主な相違点は、色温度補償回路１０４０が並列に接続された１組のレジスタＲおよびキャパシタＣを含むことである。本実施形態において、コントローラ１２０は、制御信号Ｓｃｔｒｌによりスイッチ素子ＳＷをオンにするかしないかを制御して、照明光源の色温度を調整する。また、本実施形態の色温度補償回路１０４０の操作方法に関する十分な教示、提案および実施説明は、図７で説明した実施形態から得ることができるため、関連説明については繰り返し説明しない。
【００５８】
図７および図１０の実施形態において、補償素子モジュールは、直列または並列に接続されたレジスタおよびキャパシタを含む２つの素子の組み合わせを例に挙げて説明したが、本発明はこれに限定されない。別の実施形態において、補償素子モジュールは、例えば、直列または並列に接続されたキャパシタおよびインダクタを含む２つの素子の組み合わせを含むことにより、補償素子モジュールの電力消費量を減らす。
【００５９】
具体的に説明すると、図１１〜図１４は、本発明の異なる実施形態に係る色温度補償回路の概略図を示したものである。
【００６０】
図１１の実施形態において、補償素子モジュール３４２は、直列に結合された１組のインダクタＬおよびキャパシタＣを含む。スイッチ素子モジュール３４４は、スイッチ素子ＳＷを含む。コントローラ１２０は、制御信号Ｓｃｔｒｌによりスイッチ素子モジュール３４４のスイッチ素子ＳＷを制御して、スイッチ素子ＳＷをオンにするかしないかを選択し、照明光源の色温度を調整する。
【００６１】
図１２の実施形態において、補償素子モジュール４４２は、直列に結合された１組のインダクタＬおよびキャパシタＣを含む。補償素子モジュール４４２と並列に結合されるのは、直列に結合された複数の有機発光ダイオードＤを含む有機発光ダイオードストリングである。本実施形態において、コントローラ１２０は、制御信号Ｓｃｔｒｌによりスイッチ素子ＳＷをオンにするかしないかを制御して、照明光源の色温度を調整する。
【００６２】
図１３の実施形態において、補償素子モジュール９４２は、直列に結合された複数組のインダクタＬおよびキャパシタＣを含む。スイッチ素子モジュール７４４は、並列に結合された複数のスイッチ素子ＳＷ１〜ＳＷＮを含む。この例では、有機発光ダイオードストリングの複数の有機発光ダイオードＤ１〜ＤＮは、それぞれ直列に結合された１組のインダクタＬおよびキャパシタＣとともに配置される。コントローラ１２０は、制御信号Ｓｃｔｒｌによりスイッチ素子ＳＷ１〜ＳＷＮをオンにするかしないかを制御して、照明光源の色温度を調整する。
【００６３】
図１４の実施形態において、補償素子モジュール６４２は、並列に結合された１組のインダクタＬおよびキャパシタＣを含む。スイッチ素子モジュール６４４は、スイッチ素子ＳＷを含む。コントローラ１２０は、制御信号Ｓｃｔｒｌによりスイッチ素子モジュール６４４のスイッチ素子ＳＷを制御して、スイッチ素子ＳＷをオンにするかしないかを選択し、照明光源の色温度を調整する。
【００６４】
また、図１１〜図１４で説明した実施形態の色温度補償回路の操作方法に関する十分な教示、提案および実施説明は、図７〜図１０で説明した実施形態から得ることができるため、関連説明については繰り返し説明しない。
【００６５】
本発明の実施形態のうち図１１〜図１４の実施形態において、補償素子モジュールが直列または並列に接続されたインダクタおよびキャパシタを含む２つの素子の組み合わせである場合を例として説明したが、本発明はこれに限定されない。別の実施形態において、例えば、補償素子モジュールは、直列または並列に接続されたレジスタ、キャパシタおよびインダクタの中の少なくとも２つの組み合わせを含む。レジスタ、キャパシタおよびインダクタの異なる組み合わせを含む色温度補償回路の操作方法に関する十分な教示、提案および実施説明は、図７〜図１４で説明した実施形態から得ることができるため、関連説明については繰り返し説明しない。
【００６６】
さらに、本発明の実施形態において、色温度調整方法は、検出器１３０を用いて発光源１１０の色温度を検出する。コントローラ１２０は、検出器１３０の検出結果に基づいて色温度補償回路１４０のスイッチ（例えば、図７〜図１１に示したスイッチ）を制御し、発光源１１０の色温度を補償する。したがって、本発明の実施形態において、光源駆動回路１５０は、例えば、発光ダイオード光源、有機発光ダイオード光源または他の類似光源を駆動する駆動回路を含む。さらに、１つの実施形態において、光源駆動回路１５０は、電流検出器を含むよう設計されてもよく、発光源１１０のフィードバック電流を検出するよう構成される。光源駆動回路１５０は、フィードバックメッセージをコントローラ１２０に送信して、色温度補償を行う。
【００６７】
以上のように、本発明の実施形態によると、重み演算に関し、局所的色温度は、主に、検出器を用いて検出された色温度調整可能な照明装置の位置の色温度であり、照明光源の色温度を補償するために使用される。全体的色温度は、主に、クラウドデータベースから集めた色温度データである。コントローラは、全体的色温度および局所的色温度に対して重み演算を行い、演算結果を取得して照明光源の色温度を調整する。回路構造に関しては、レジスタ、キャパシタおよびインダクタの中の少なくとも２つの素子の組み合わせを発光ダイオードと並列に接続して、色温度補償回路として使用する。コントローラは、全体的色温度および局所的色温度に対して行った重み演算の演算結果に基づいて色温度補償回路を制御することにより、照明光源の色温度を調整する。
【００６８】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００６９】
本発明は、色温度調整可能な照明装置および照明装置の色温度調整方法に関するものである。
【符号の説明】
【００７０】
１００  照明装置
１１０  発光源
１２０  コントローラ
１３０  検出器
１４０、３４０、４４０、５４０、６４０、７４０、８４０、９４０、１０４０  色温度補償回路
１５０  光源駆動回路
２００  クラウドデータベース
３４４、４４４、５４４、６４４、７４４、８４４、９４４、１０４４  スイッチ素子モジュール
３４２、４４２、５４２、６４２、７４２、８４２、９４２、１０４２  補償素子モジュール
ＣＣＴ＿Ｏ  全体的色温度
ＣＣＴ＿Ｉ  局所的色温度
Ｔ１  第１色温度
Ｔ２  第２色温度
Ｓｔ  時間パラメータ
Ｓｃｔｒｌ  制御信号
Ｉ１、Ｉ２  駆動電流
ＳＷ、ＳＷ１、ＳＷ２、ＳＷ（Ｎ−１）、ＳＷＮ  スイッチ素子
Ｒ  レジスタ
Ｃ  キャパシタ
Ｌ  インダクタ
Ｄ、Ｄ１、Ｄ２、ＤＮ  有機発光ダイオード
Ｓ１１０、Ｓ１２０、Ｓ１３０、Ｓ２１０、Ｓ２２０、Ｓ２３０、Ｓ２４０、Ｓ２５０、Ｓ３１０、Ｓ３２０、Ｓ３３０、Ｓ３４０、Ｓ３５０、Ｓ４１０、Ｓ４２０、Ｓ４３０、Ｓ４４０、Ｓ４５０、Ｓ４６０  色温度調整方法のステップ
【図１】
0006328597.tif 000004
【図２】
0006328597.tif 000005
【図３】
0006328597.tif 000006
【図４】
0006328597.tif 000007
【図５】
0006328597.tif 000008
【図６】
0006328597.tif 000009
【図７】
0006328597.tif 000010
【図８】
0006328597.tif 000011
【図９】
0006328597.tif 000012
【図１０】
0006328597.tif 000013
【図１１】
0006328597.tif 000014
【図１２】
0006328597.tif 000015
【図１３】
0006328597.tif 000016
【図１４】
0006328597.tif 000017